(57)【要約】【課題】ノイズの影響を低減できるアンテナ付きタッチパッドを提供する。【解決手段】操作面１１が上側に設定される基板２０と、基板２０の操作領域１１ａと対応する領域に配置された容量検出用電極群と、基板２０の下側に配置された無線通信用のアンテナ２８と、容量検出用電極群の下側であってアンテナ２８の上側となる位置に配置された導電材料からなる接地電極２７と、を備えたアンテナ付きタッチパッド１であって、容量検出用電極群は、所定の第１方向に沿って延設される第１電極群２５と、第１方向と直交する第２方向に沿って延設される第２電極群２６と、を有し、接地電極２７はスリットによって形成されて第２方向に並んだ櫛歯形状を有し、櫛歯形状のそれぞれの基部２７ｔは、アンテナ２８の一部と上面視で重なる部分を有する。【選択図】図６
2018194987.tif 000002
【特許請求の範囲】
【請求項１】
所定の操作領域を有する操作面が上側に設定される基板と、
前記基板の前記操作領域と対応する領域に配置された容量検出用電極群と、
前記基板の下側であって、上面視で前記容量検出用電極群が形成された電極形成領域と重なる領域に配置された、無線通信用のアンテナと、
前記容量検出用電極群の下側であって前記アンテナの上側となる位置に、上面視で前記電極形成領域の全域と重なるように配置された、導電材料からなる接地電極と、
を備えたアンテナ付きタッチパッドであって、
前記容量検出用電極群は、
所定の第１方向に沿って延設される第１電極群と、
前記第１方向と直交する第２方向に沿って延設される第２電極群と、
を有し、
前記接地電極は、スリットによって形成されて前記第２方向に並ぶ複数の櫛歯形状を有し、
前記接地電極の前記複数の櫛歯形状のそれぞれは、前記第１方向に延設される基部から、前記第２方向に歯部が延びる形状を有し、
前記接地電極の複数の櫛歯形状のそれぞれの前記基部は、前記アンテナの一部と上面視で重なるように配置され、
前記接地電極の前記スリットのうち、前記複数の櫛歯形状の前記歯部を形成する部分は、前記第２電極群の電極間に対応するように位置することを特徴とするアンテナ付きタッチパッド。
【請求項２】
前記接地電極の複数の櫛歯形状は両櫛歯形状である、請求項１に記載のアンテナ付きタッチパッド。
【請求項３】
前記アンテナの上面視での外形は、前記第１方向に沿った辺を有する矩形状である、請求項１または請求項２に記載のアンテナ付きタッチパッド。
【請求項４】
前記第２電極群に電源を与える電源供給配線の少なくとも一部は、配線群として前記第１方向に延設されて、上面視で前記アンテナの少なくとも一部を横切るように配置される、請求項１から請求項３のいずれか一項に記載のアンテナ付きタッチパッド。
【請求項５】
前記配線群は、上下方向で前記接地電極と前記アンテナとの間に位置するように配置される、請求項４に記載のアンテナ付きタッチパッド。
【発明の詳細な説明】
【技術分野】
【０００１】
本発明は、アンテナ付きタッチパッドに関し、特に、無線通信用のアンテナを備えたアンテナ付きタッチパッドに関する。
【背景技術】
【０００２】
操作面に接触または近接する操作体の位置を検出可能なタッチパッドが普及し、ノートパソコン等の電子機器の画面のカーソル移動用として使用されている。タッチパッドは、ノートパソコン等の電子機器の本体を覆う筐体の所定の位置（パームレスト等）に形成された開口部に取り付けられて使用される。
【０００３】
タッチパッドが取り付けられる開口部は、電子機器側の通信回路が生成した無線信号（電磁波信号）を電子機器の外部に放射するためにも利用される。そして、近年、このような通信回路と接続された無線通信用のアンテナをタッチパッドと一体化した、アンテナ付きタッチパッドが実用化されている。
【０００４】
従来のアンテナ付きタッチパッドとしては、所定の操作領域を有する操作面が上側に設定される基板と、前記基板の前記操作領域と対応する領域に配置された容量検出用電極群と、前記基板の下側であって、上面視で前記容量検出用電極群が形成された電極形成領域と重なる領域に配置された、無線通信用のアンテナと、を備えたアンテナ付きタッチパッドであって、前記容量検出用電極群は、所定の第１方向に沿って延設される第１電極群と、前記第１方向と直交する第２方向に沿って延設される第２電極群と、を有し、前記アンテナは、前記第１方向及び前記第２方向と交差する方向に延設されていることを特徴とするアンテナ付きタッチパッドが特許文献１に開示されている。
【先行技術文献】
【特許文献】
【０００５】
【特許文献１】特開２０１５−１３００６４号公報
【発明の概要】
【発明が解決しようとする課題】
【０００６】
本発明者らがアンテナ付きタッチパッドにおけるノイズの影響を低減する手段についてさらに検討した結果、特許文献１に記載されるような、容量検出用電極群の形状（延設方向）とアンテナ形状との関係以外にも、ノイズの発生に影響を与える因子が存在することが明らかになった。
【０００７】
本発明は、アンテナ付きタッチパッドを構成する複数の要素における形状の関係を制御して、ノイズの影響を低減できるアンテナ付きタッチパッドを提供することを目的とする。
【課題を解決するための手段】
【０００８】
上記の課題を解決するために提供される本発明は、一態様において、所定の操作領域を有する操作面が上側に設定される基板と、前記基板の前記操作領域と対応する領域に配置された容量検出用電極群と、前記基板の下側であって、上面視で前記容量検出用電極群が形成された電極形成領域と重なる領域に配置された、無線通信用のアンテナと、前記容量検出用電極群の下側であって前記アンテナの上側となる位置に、上面視で前記電極形成領域の全域と重なるように配置された、導電材料からなる接地電極と、を備えたアンテナ付きタッチパッドであって、前記容量検出用電極群は、所定の第１方向に沿って延設される第１電極群と、前記第１方向と直交する第２方向に沿って延設される第２電極群と、を有し、前記接地電極は、スリットによって形成されて前記第２方向に並ぶ複数の櫛歯形状を有し、前記接地電極の前記複数の櫛歯形状のそれぞれは、前記第１方向に延設される基部から前記第２方向に歯部が延びる形状を有し、前記接地電極の複数の櫛歯形状のそれぞれの前記基部は、前記アンテナの一部と上面視で重なる部分を有するように配置され、前記接地電極の前記スリットのうち、前記複数の櫛歯形状の前記歯部を形成する部分は、前記第２電極群の電極間に対応するように位置することを特徴とするアンテナ付きタッチパッドである。
【０００９】
特許文献１に記載されるように、容量検出用電極群の延設方向（第１方向および第２方向）と交差するようにアンテナの延設方向を設定することにより、ノイズの影響を低減させて検出感度を向上させることができるが、ノイズの発生源をさらに検討したところ、容量検出用電極群（第１電極群、第２電極群）と接地電極とが静電容量結合して閉ループが形成されることが明らかになった。第１方向または第２方向に延設される容量検出用電極と接地電極とが静電容量結合して閉ループを形成すると、形成された閉ループがアンテナと磁界結合し、アンテナからの磁界がノイズとなって、タッチパッドとしての検出感度の低下をもたらす。
【００１０】
本発明者らがさらに検討した結果、上記のように形成される閉ループの上面視での面積が大きいほど、閉ループとアンテナとの電磁気的な相互作用が大きくなって、ノイズの影響が強くなる傾向があることが明らかになった。そこで、上記の本発明の一態様に係るアンテナ付きタッチパッドでは、閉ループが上面視で作る面積が大きくならないように、接地電極が第２方向に並んだ複数の櫛歯形状を有し、これらの櫛歯形状はスリットによって形成される。
【００１１】
そして、接地電極の複数の櫛歯形状のそれぞれの基部は、アンテナの一部と上面視で重なる部分を有するように配置される。このような配置とすることにより、理由は明確でないが第１電極群に対してアンテナからのノイズの影響が少なくなる。第１電極群と接地電極とが静電容量結合して形成される閉ループの電気的経路はこの重なり部分を優先的に通る。このため、上面視での面積が大きな閉ループが形成されにくくなっている可能性がある。
【００１２】
また、接地電極の複数の櫛歯を形成するスリットのうち、歯の部分を形成するスリット（第２スリット）は、第２電極群の電極の間に位置するように配置される。したがって、第２電極群の電極と接地電極とが静電容量結合しても、その電気的経路が第１方向に延びることが第２スリットによって阻害され、上面視で面積の大きな閉ループが形成されにくい。
【００１３】
このように、上記の本発明の一態様に係るアンテナ付きタッチパッドでは、アンテナと磁界結合する閉ループの上面視での面積が大きくなりにくいため、ノイズの影響が低減される。
【００１４】
上記のアンテナ付きタッチパッドにおいて、前記接地電極の複数の櫛歯形状は両櫛歯形状であってもよい。この場合には、電極形成領域の中央部に位置するアンテナに対して、接地電極の複数の櫛歯形状のそれぞれの基部を上面視で重ねやすい。
【００１５】
上記のアンテナ付きタッチパッドにおいて、前記アンテナの上面視での外形は、前記第１方向に沿った辺を有する矩形状であることが好ましい。アンテナの上面視の外形がこのような形状を有している場合には、接地電極の複数の櫛歯形状のそれぞれの基部と重複する部分が増え、第１電極群に対するアンテナからのノイズの影響をより安定的に低減させることができる。
【００１６】
上記のアンテナ付きタッチパッドにおいて、前記第２電極群に電源を与える電源供給配線の少なくとも一部は、配線群として前記第１方向に延設されて、上面視で前記アンテナの少なくとも一部を横切るように配置されることが好ましい。この場合には、閉ループはこの配線群を通るように形成されやすくなるため、接地電極に形成される櫛歯形状の複数にまたがる大きな閉ループが形成されにくい。この配線群が信号検出に影響を与える影響を少なくする観点から、この配線群は、上下方向で前記接地電極と前記アンテナとの間に位置するように配置されることが好ましい。
【発明の効果】
【００１７】
本発明によれば、アンテナによるノイズの影響を低減できるアンテナ付きタッチパッドを提供することができる。
【図面の簡単な説明】
【００１８】
【図１】本発明の第１実施形態に係るタッチパッド１の構成を示す説明図である。
【図２】図１に示すタッチパッド１の使用例を示す説明図である。
【図３】図１に示すタッチパッド１の分解斜視図である。
【図４】（ａ）図１に示す基板２０の第１電極群２５の構成を示す説明図であり、（ｂ）図１に示す基板２０の第２電極群２６の構成を示す説明図である。
【図５】（ａ）図１に示す基板２０の接地電極２７の構成を示す説明図であり、（ｂ）図１に示す基板２０のアンテナ２８の構成を示す説明図である。
【図６】（ａ）図１に示すタッチパッド１が備える接地電極２７の第１電極群２５との関係での機能を示す説明図、および（ｂ）図１に示すタッチパッド１が備える接地電極２７の第２電極群２６との関係での機能を示す説明図である。
【図７】本発明の第２実施形態に係るタッチパッド１０１の分解斜視図である。
【図８】（ａ）図７に示す基板１２０の接地電極形成層２３の構成を示す説明図、および（ｂ）図７に示すタッチパッド１０１が備える配線形成層２９の構成を示す説明図である。
【発明を実施するための形態】
【００１９】
［第１実施形態］
以下、本発明の第１実施形態について図面を参照しながら説明する。尚、各図において、Ｘ１方向を左方向、Ｘ２方向を右方向、Ｙ１方向を前方、Ｙ２方向を後方、Ｚ１方向を上方、Ｚ２方向を下方として、説明を進める場合がある。
【００２０】
まず、本発明の第１実施形態に係るタッチパッド１（アンテナ付きタッチパッド）の構成について、図１ないし図５を用いて説明する。図１は、本発明の第１実施形態に係るタッチパッド１の構成を示す説明図である。図２は、図１に示すタッチパッド１の使用例を示す説明図である。図３は、図１に示すタッチパッド１の分解斜視図である。図４は、図１に示す基板２０の電極形状を示す第１の説明図である。図４（ａ）は、第１電極群２５の電極形状を示す説明図であり、図４（ｂ）は、第２電極群２６の電極形状を示す説明図である。図５は、図１に示す基板２０の電極形状を示す第２の説明図である。図５（ａ）は、接地電極２７の電極形状を示す説明図であり、図５（ｂ）は、アンテナ２８の電極形状を示す説明図である。
【００２１】
タッチパッド１は、静電容量方式と呼ばれる方式のタッチパッドである。タッチパッド１は、図１に示すように、上側に操作面１１を有する操作板１０と、操作板１０の下側に配置された基板２０と、を備えている。そして、タッチパッド１は、操作面１１に接触または近接する指先等の操作体の位置を検出できるようになっている。このようなタッチパッド１は、図２に示すように、ノートパソコン等の電子機器５０の、筐体５１の所定の位置（パームレスト等）に、操作面１１が露出するように取り付けられ、画面のカーソル移動等に利用される。
【００２２】
操作板１０は、合成樹脂でできた板状の部材であり、上下に略長方形の板面を有している。図３に示すように、操作板１０の上面が操作面１１となっており、操作面１１の所定の領域が操作領域１１ａとなっている。本実施形態では、操作領域１１ａは、操作面１１上の第１方向と、第１方向と直交する第２方向と、に沿った辺を有する正方形の領域となっている。図３に示すように、第１方向は左右方向であり、第２方向は前後方向である。
【００２３】
基板２０は、合成樹脂でできた多層基板であり、上下に略長方形の板面を有している。基板２０は、図３に示すように、第１電極形成層２１と第２電極形成層２２と接地電極形成層２３とアンテナ形成層２４とからなる４つの電極形成層を有している。第１電極形成層２１と第２電極形成層２２と接地電極形成層２３とアンテナ形成層２４とには、銅等の導電材料からなる所定の電極が形成されている。
【００２４】
第１電極形成層２１と第２電極形成層２２と接地電極形成層２３とアンテナ形成層２４とは、上から、第１電極形成層２１、第２電極形成層２２、接地電極形成層２３、アンテナ形成層２４の順に、図示しない絶縁層を挟んで積層されている。そして、第１電極形成層２１が基板２０の上面となり、アンテナ形成層２４が基板２０の下面となっている。第１電極形成層２１の上側とアンテナ形成層２４の下側とは、図示しない絶縁性の被膜に覆われている。
【００２５】
基板２０の第１電極形成層２１には、第１の容量検出用電極群である第１電極群２５が形成されている。第１電極群２５は、上面視で操作領域１１ａと重なる正方形の領域である第１電極形成領域２１ａの内側に形成されている。第１電極群２５は、複数の第１電極２５ａで構成されている。第１電極２５ａは、図４（ａ）に示すように、第１方向に沿って延設された略長方形の電極である。複数の第１電極２５ａは、第２方向に沿って等間隔に並べて配置されている。尚、本実施形態では、第１電極群２５の第１電極２５ａは、検出電極として使用される。この検出電極において検出された信号を制御部（図示せず。）に伝えるために、後述するアンテナ形成層２４のアンテナ２８のＸ１−Ｘ２方向（第１方向）Ｘ２側には信号検出配線２８５が設けられている。第１電極２５ａと信号検出配線２８５とを接続するためのスルーホールＴＨが後述する接地電極形成層２３の接地電極２７のＸ１−Ｘ２方向（第１方向）Ｘ２側に設けられている（図５（ａ）参照。）。
【００２６】
基板２０の第２電極形成層２２には、第２の容量検出用電極群である第２電極群２６が形成されている。第２電極群２６は、上面視で操作領域１１ａと重なる正方形の領域である第２電極形成領域２２ａの内側に形成されている。第２電極群２６は、複数の第２電極２６ａで構成されている。第２電極２６ａは、図４（ｂ）に示すように、第２方向に沿って延設された略長方形の電極である。複数の第２電極２６ａは、第１方向に沿って等間隔に並べて配置されている。尚、本実施形態では、第２電極群２６の第２電極２６ａは駆動電極として使用され、第２電極２６ａには駆動用の電気信号が印加される。この駆動用の電気信号を印加するために、後述するアンテナ形成層２４のアンテナ２８のＹ１−Ｙ２方向（第２方向）Ｙ１側には電源供給配線２８６が設けられている。第２電極２６ａと電源供給配線２８６とを接続するためのスルーホールＴＨが後述する接地電極形成層２３の接地電極２７のＹ１−Ｙ２方向（第２方向）Ｙ１側に設けられている（図５（ａ）参照。）。
【００２７】
第１電極群２５の第１電極２５ａと第２電極群２６の第２電極２６ａとは、上面視で互いに交差するように配置されている。そして、第１電極２５ａと第２電極２６ａとは、互いに交差する位置の付近で静電容量を形成している。そして、第１電極２５ａと第２電極２６ａとの間の静電容量によって、第１電極２５ａに印加された駆動用の電気信号が、第１電極２５ａから第２電極２６ａに伝達される。タッチパッド１では、このようにして第１電極２５ａから第２電極２６ａに伝達される電気信号の変化に基づいて、第１電極２５ａと第２電極２６ａとの間の静電容量の変化を検出できるようになっている。
【００２８】
基板２０の接地電極形成層２３には、接地電極２７が形成されている。接地電極２７は、上面視で第１電極形成領域２１ａおよび第２電極形成領域２２ａの全域と重なる正方形の領域である接地電極形成領域２３ａの内側に形成されている。
【００２９】
接地電極２７は、図５（ａ）に示すように、接地電極形成領域２３ａの全域を覆う正方形の電極にスリット（第１スリット２７ａ１、第２スリット２７ａ２）を加えて形成される。スリットによって形成される形状は、Ｙ１−Ｙ２方向（第２方向）に並ぶ複数の櫛歯形状を有する。本実施形態に係る接地電極２７は、２つの櫛歯形状（第１櫛歯形状２７ｃ１、第２櫛歯形状２７ｃ２）を有し、第１櫛歯形状２７ｃ１と第２櫛歯形状２７ｃ２とのＹ１−Ｙ２方向（第２方向）の間には第１スリット２７ａ１が位置する。
【００３０】
２つの櫛歯形状（第１櫛歯形状２７ｃ１、第２櫛歯形状２７ｃ２）のそれぞれは、Ｘ１−Ｘ２方向（第１方向）に延設される基部２７ｔから、Ｙ１−Ｙ２方向（第２方向）に複数の歯部２７ｓが延びる形状を有する。第１櫛歯形状２７ｃ１および第２櫛歯形状２７ｃ２のそれぞれの隣り合う歯部２７ｓの間には第２スリット２７ａ２が位置する。２つの櫛歯形状（第１櫛歯形状２７ｃ１、第２櫛歯形状２７ｃ２）はいずれも、複数の歯部２７ｓが、Ｙ１−Ｙ２方向Ｙ１側およびＹ１−Ｙ２方向Ｙ２側のそれぞれの向きに延びる両櫛歯の形状を有する。第１櫛歯形状２７ｃ１と第２櫛歯形状２７ｃ２とは、Ｘ１−Ｘ２方向Ｘ２側端部の連結部２７ｃにて連結されている。
【００３１】
基板２０のアンテナ形成層２４には、無線通信用のアンテナ２８となる電極パターンが形成されている。以下、無線通信用のアンテナ２８となる電極パターンのことをアンテナ２８と略称する。アンテナ２８は、上面視で第１電極形成領域２１ａおよび第２電極形成領域２２ａと重なる正方形の領域であるアンテナ形成領域２４ａの内側に形成されている。
【００３２】
アンテナ２８は、図５（ｂ）に示すように、アンテナ形成領域２４ａと中心を共有しＸ１−Ｘ２方向およびＹ１−Ｙ２方向に各辺が延びる略矩形の外周に沿って巻き回されたコイル（スパイラルコイル）状の形状を有する。アンテナ２８の２つの端部は、回路と接続される端子部２８ａとなっている。このように、アンテナ２８の上面視での外形が、Ｘ１−Ｘ２方向（第１方向）に沿った辺を有する矩形状であることにより、接地電極２７の２つの櫛歯形状（第１櫛歯形状２７ｃ１、第２櫛歯形状２７ｃ２）のそれぞれの基部２７ｔと重複する部分が増え、第１電極群２５に対するアンテナ２８からのノイズの影響をより安定的に低減させることができる。この点については別途後述する。
【００３３】
アンテナ形成層２４の、アンテナ形成領域２４ａの左側の領域と右側の領域とは、所定の回路が形成される回路形成領域２４ｂとなっている。回路形成領域２４ｂには、図示しない各種の電子部品が実装されて、操作面１１に接触または近接する操作体の位置を検出するための検出回路３０や、無線通信のための通信回路４０等が形成される。アンテナ形成層２４に形成されている信号検出配線２８５および電源供給配線２８６は、第１電極２５ａおよび第２電極２６ａと検出回路３０とを接続する配線である。これらの配線は、第１電極２５ａおよび第２電極２６ａと接続する部分についてはアンテナ形成領域２４ａの内部に位置するが、他の部分は可能な限りアンテナ形成領域２４ａの外部に位置するように配置される。
【００３４】
検出回路３０は、図示しない配線用の電極等を介して、前述した第１電極群２５と第２電極群２６とに接続されている。検出回路３０は、第１電極群２５の第１電極２５ａに駆動用の電気信号を印加すると共に、第２電極群２６の第２電極２６ａに伝達される電気信号を検出し、第１電極２５ａから第２電極２６ａに伝達される電気信号の変化に基づいて、第１電極２５ａと第２電極２６ａとの間の静電容量の変化を検出している。そして、検出回路３０は、第１電極群２５と第２電極群２６とを用いて検出した静電容量の変化に基づいてタッチパッド１の操作面１１に接触または近接する操作体の位置を検出している。尚、このような検出回路３０の回路構成等は公知なので、詳細な説明は省略する。
【００３５】
通信回路４０は、近距離無線通信の規格に対応した通信回路である。通信回路４０は、図示しない配線用の電極を介して、アンテナ２８の端子部２８ａと接続されている。そして、通信回路４０は、アンテナ２８の端子部２８ａに無線通信用の電気信号が印加している。尚、このような通信回路４０の回路構成は公知なので、詳細な説明は省略する。
【００３６】
基板２０は、以上に述べたような構成を有している。そして、このような基板２０の上側に、粘着剤等によって操作板１０が貼り付けられる。その結果、所定の操作領域１１ａを有する操作面１１が基板２０の上側に設定される。
【００３７】
以下、図６および図７を用いて、タッチパッド１におけるノイズ低減機構について説明する。図６（ａ）は、図１に示すタッチパッド１が備える接地電極２７の第１電極群２５との関係での機能を示す説明図であり、図６（ｂ）は、図１に示すタッチパッド１が備える接地電極２７の第２電極群２６との関係での機能を示す説明図である。図６では、煩雑さを回避する観点から、一部の要素（第１電極２５ａなど）について符号の表示を省略している。
【００３８】
図６（ａ）に示されるように、第１電極群２５を構成する複数の第１電極２５ａと接地電極２７との静電容量結合によって形成される閉ループの電気的経路は、アンテナ２８との重なりが大きい第１櫛歯形状２７ｃ１の基部２７ｔ、第２櫛歯形状２７ｃ２の基部２７ｔに優先的に通る。このため、第１電極群２５のうち、最もＹ１−Ｙ２方向Ｙ２側の第１電極２５ａを通る閉ループＣＬ１の電気的経路は、その第１電極２５ａの近くに位置する第１櫛歯形状２７ｃ１の基部２７ｔを通る。このため閉ループＣＬ１はＹ１−Ｙ２方向の長さが短い矩形状となる。また、第１電極群２５のうち、Ｙ１−Ｙ２方向Ｙ２側端部からＹ１側に３つ目の第１電極２５ａを通る閉ループＣＬ２の電気的経路も、その第１電極２５ａの近くに位置する第１櫛歯形状２７ｃ１の基部２７ｔを通るため、閉ループＣＬ２はＹ１−Ｙ２方向の長さが短い矩形状となる。第２櫛歯形状２７ｃ２に重なる第１電極２５ａを通る閉ループＣＬ３，ＣＬ４のそれぞれの電気的経路は、第２櫛歯形状２７ｃ２の基部２７ｔに優先的に通る。このため、閉ループＣＬ３，ＣＬ４は、閉ループＣＬ１，ＣＬ２と同様に、Ｙ１−Ｙ２方向の長さが短い矩形状となる。
【００３９】
このように、第１電極群２５と接地電極２７との静電容量結合によって形成される閉ループは、その電気的経路が第１櫛歯形状２７ｃ１の基部２７ｔおよび第２櫛歯形状２７ｃ２の基部２７ｔを優先的に通るため、上面視の面積が大きな閉ループとならない。尚、第１櫛歯形状２７ｃ１と第２櫛歯形状２７ｃ２との間には第１スリット２７ａ１が位置するため、第１櫛歯形状２７ｃ１の基部２７ｔおよび第２櫛歯形状２７ｃ２の基部２７ｔの双方を通る閉ループが形成されることはない。
【００４０】
以上説明したように、第１電極群２５と接地電極２７とが静電容量結合しても、上面視で大きな面積を有する閉ループは形成されないため、アンテナ２８からの磁界に起因する強いノイズが第１電極群２５に発生しにくい。
【００４１】
一方、図６（ｂ）に示されるように、本発明の第１実施形態に係るタッチパッド１では、上面視で、接地電極２７の櫛歯形状が第２電極群２６の櫛歯形状に重なるように配置されている。すなわち、接地電極２７において、複数の第２電極２６ａの電極間に対応するように、複数の第２スリット２７ａ２は位置している。このため、図６（ｂ）に示されるように、Ｘ１−Ｘ２方向（第１方向）Ｘ１側の端部に位置する第２電極２６ａのＹ１−Ｙ２方向（第２方向）Ｙ２側の端部において、接地電極２７と静電容量結合ＥＳＣが生じた場合であっても、接地電極２７にはＹ１−Ｙ２方向（第２方向）に延設された第２スリット２７ａ２が存在するため、接地電極２７のＹ１−Ｙ２方向Ｙ２側ではＸ１−Ｘ２方向Ｘ１側へと電気的経路が延びることはない。このため、上面視でアンテナ２８を包含するような大きな面積を有する閉ループは形成されない。
【００４２】
第２電極群２６と接地電極２７との静電容量結合によって形成される閉ループの電気的経路も、アンテナ２８との重なりが大きい第１櫛歯形状２７ｃ１の基部２７ｔおよび第２櫛歯形状２７ｃ２の基部２７ｔに優先的に通る。また、第１櫛歯形状２７ｃ１と第２櫛歯形状２７ｃ２との間には第１スリット２７ａ１が位置する。このため、第１櫛歯形状２７ｃ１の基部２７ｔや第２櫛歯形状２７ｃ２の基部２７ｔを通る電気的経路が第１電極群２５と静電容量結合を含んで閉ループを作る場合であっても、図６（ｂ）に示されるように、上面視でアンテナ２８と一部が重なる程度の小面積の閉ループＣＬ５，ＣＬ６しか形成されない。
【００４３】
このように、第２電極群２６と接地電極２７とが静電容量結合しても、上面視で大きな面積を有する閉ループは形成されないため、アンテナ２８からの磁界に起因する強いノイズが第２電極群２６に発生しにくい。
【００４４】
［第２実施形態］
以下、本発明の第２実施形態について図面を参照しながら説明する。尚、本実施形態において、前述した第１実施形態と同一の構成である場合、同一符号を付して詳細な説明は省略する。
【００４５】
図７は、本発明の第２実施形態に係るタッチパッド１０１の分解斜視図である。図８（ａ）は、図７に示す基板１２０の接地電極形成層２３の構成を示す説明図である。図８（ｂ）は、図７に示す基板１２０の配線形成層２９の構成を示す説明図である。
【００４６】
図７に示されるように、タッチパッド１０１は、第１実施形態に係るタッチパッド１と同様の構造をしているが、タッチパッド１の基板２０に対応する基板１２０は、基板２０には設けられていない配線形成層２９を有する。図８（ｂ）に示されるように、配線形成層２９には、タッチパッド１００の信号検出配線２８５および電源供給配線２８６に対応する信号検出配線２９５および電源供給配線２９６が形成される。図８（ａ）に示されるように、信号検出配線２９５と第１電極２５ａとを接続するため、および電源供給配線２９６と第２電極２６ａとを接続するために、接地電極形成層２３にはスルーホールＴＨが設けられている。
【００４７】
タッチパッド１では、信号検出配線２８５および電源供給配線２８６は、そのほとんどの部分が、アンテナ形成層２４のアンテナ形成領域２４ａの外側に位置している。これに対し、タッチパッド１０１では、配線形成層２９における、第１電極形成領域２１ａおよび第２電極形成領域２２ａの全域と重なる正方形の領域２９ａの内部に、電源供給配線２９６がＸ１−Ｘ２方向（第１方向）Ｘ２側からＸ１側に延びるように設けられている。具体的には、タッチパッド１０１では、電源供給配線２９６は、上面視で、図８（ａ）に示されるように第１スリット２７ａ１に重なるように配置され、しかも、図８（ｂ）に示されるように、アンテナ２８をＸ１−Ｘ２方向（第１方向）に横切るように配置される。尚、理解を容易にする観点から、図８（ｂ）では、アンテナ形成層２４に形成されるアンテナ２８が点線で示されている。
【００４８】
このように電源供給配線２９６が配置されることによって、第２電極群２６およびこれに電気的に接続される電源供給配線２９６と接地電極２７との静電容量結合によって形成される閉ループの電気的経路は、上面視でアンテナ２８の一部に重なる部分を有するように設けられた接地電極２７の基部２７ｔと、このアンテナ２８を横切るように配置された電源供給配線２９６とを通りやすくなる。したがって、タッチパッド１０１では、アンテナ２８の上面視での面積よりも大きくなるような閉ループが形成されにくい。
【００４９】
このように、第２実施形態に係るタッチパッド１０１では、第２電極群２６および電源供給配線２９６と接地電極２７とが静電容量結合しても、形成される閉ループの上面視での面積は特に小さくなるため、アンテナ２８からの磁界に起因するノイズは第２電極群２６に特に発生しにくくなる。
【００５０】
以上、本発明の実施形態について説明してきたが、本発明は上記の実施形態に限定されず、本発明の目的の範囲を逸脱しない限りにおいて適宜変更することができる。
【００５１】
例えば、本発明の実施形態において、タッチパッド１（またはタッチパッド１０１）が取り付けられる電子機器は、ノートパソコン以外の機器であっても構わない。例えば、タッチパッド１（またはタッチパッド１０１）は、ゲーム機や車載ナビゲーション装置等の入力装置として使用されても構わない。
【００５２】
また、本発明の実施形態において、タッチパッド１（またはタッチパッド１０１）は、前述した部材以外の部材を備えていても構わない。例えば、タッチパッド１（またはタッチパッド１０１）は、自身を揺動可能に電子機器に支持するための支持部材を備えていても構わない。そして、基板２０（または基板１２０）の下面には、タッチパッド１（またはタッチパッド１０１）の揺動動作を検出するためのプッシュスイッチ等が取り付けられていても構わない。また、タッチパッド１（またはタッチパッド１０１）は、自身を電子機器５０の筐体に取り付けるための取り付け構造を備えていても構わない。
【００５３】
また、本発明の実施形態において、操作領域１１ａは、前述した以外の形状であっても構わない。例えば、操作領域１１ａは長方形であってもよい。操作領域１１ａが正方形など矩形である場合においてその角の部分は、円弧状となっていても構わない。また、操作面１１に接触または近接する操作体の位置を所定の精度で検出できるのであれば、操作領域１１ａは、円形や楕円形の領域であっても構わない。
【００５４】
また、本発明の実施形態において、基板２０（または基板１２０）は、回路形成領域２４ｂを有しておらず、タッチパッド１（またはタッチパッド１０１）は、検出回路３０や通信回路４０を備えていなくても構わない。そして、第１電極群２５と第２電極群２６とは、例えば電子機器５０の本体側に形成された検出回路や通信回路に配線等を介して接続されていても構わない。
【００５５】
また、本発明の実施形態において、第１電極群２５の第１電極２５ａと第２電極群２６の第２電極２６ａとは、長方形以外の形状であっても構わない。例えば、第１電極２５ａは、互いに連結された複数のひし形の電極を第１方向に沿って並べて配置したような電極であっても構わない。また、第２電極２６ａは、互いに連結された複数のひし形の電極を第２方向に沿って並べて配置したような電極であっても構わない。
【００５６】
また、本発明の実施形態では、第１電極群２５の第１電極２５ａを検出電極として使用し、第２電極群２６の第２電極２６ａを駆動電極として使用したが、第２電極２６ａを検出電極として使用し、第１電極２５ａを駆動電極として使用しても構わない。また、検出のタイミングによって、第１電極２５ａを駆動電極として使用し、第２電極２６ａを検出電極として使用する状態と、第２電極２６ａを駆動電極として使用し、第１電極２５ａを検出電極として使用する状態と、を交互に切り替えても構わない。また、タッチパッド１（またはタッチパッド１０１）は、第１電極２５ａや第２電極２６ａ以外に検出電極となる電極を備え、第１電極２５ａと第２電極２６ａとをいずれも駆動電極として使用しても構わない。
【００５７】
また、本発明の実施形態において、アンテナ２８は、前述した以外の形状であっても構わない。例えば、所定の通信機能を実現できるのであれば、アンテナ２８は、第１方向および第２方向と交差する方向に沿って延設された部分を有しても構わない。この場合であっても、接地電極２７の複数の櫛歯形状（第１櫛歯形状２７ｃ１、第２櫛歯形状２７ｃ２）のそれぞれの基部２７ｔがアンテナ２８の一部と上面視で重なるように配置されていればよい。
【００５８】
また、本発明の実施形態において、アンテナ２８は、基板２０（または基板１２０）とは別体のシート状の部材に形成された後に、基板２０（または基板１２０）の下側に配置されても構わない。また、アンテナ２８の下側に、電子機器５０の本体への磁界の影響を抑制するための磁性シートや、タッチパッド１（またはタッチパッド１０１）を下側から支持するための支持板等が配置されていても構わない。
【００５９】
また、本実施形態において、タッチパッド１０１の電源供給配線２９６の全てが配線形成層２９に形成されているが、これに限定されない。電源供給配線２９６の一部の配線群が配線形成層２９にＸ１−Ｘ２方向（第１方向）に延設されて、上面視でアンテナ２８を少なくとも一部を横切るように形成されていれば、静電容量結合によって形成される閉ループの上面視での面積が大きくなることを抑制することができる。
【００６０】
また、タッチパッド１０１において、上面視でアンテナ２８を横切らないように配置される信号検出配線２９５は、タッチパッド１のように、アンテナ形成層２４に形成されていてもよい。
【符号の説明】
【００６１】
１，１０１  タッチパッド
１０  操作板
１１  操作面
１１ａ  操作領域
２０，１２０  基板
２１  第１電極形成層
２１ａ  第１電極形成領域
２２  第２電極形成層
２２ａ  第２電極形成領域
２３  接地電極形成層
２３ａ  接地電極形成領域
２４  アンテナ形成層
２４ａ  アンテナ形成領域
２４ｂ  回路形成領域
２５  第１電極群
２５ａ  第１電極
２８５，２９５  信号検出配線
２６  第２電極群
２６ａ  第２電極
２８６，２９６  電源供給配線
２７  接地電極
２７ａ１  第１スリット
２７ａ２  第２スリット
２７ｃ  連結部
２７ｃ１  第１櫛歯形状
２７ｃ２  第２櫛歯形状
２７ｓ  歯部
２７ｔ  基部
ＴＨ  スルーホール
２８  アンテナ
２８ａ  端子部
２９  配線形成層
２９ａ  配線形成層における領域
３０  検出回路
４０  通信回路
５０  電子機器
５１  筐体
ＥＳＣ  静電容量結合
ＣＬ１，ＣＬ２，ＣＬ３，ＣＬ４，ＣＬ５，ＣＬ６  閉ループ
【図１】
2018194987.tif 000003
【図２】
2018194987.tif 000004
【図３】
2018194987.tif 000005
【図４】
2018194987.tif 000006
【図５】
2018194987.tif 000007
【図６】
2018194987.tif 000008
【図７】
2018194987.tif 000009
【図８】
2018194987.tif 000010